(57)【要約】【課題】  電子機器などの収納物の大きさに応じて収納サイズが変わる収納ケースを提供する。【解決手段】  電子機器を開口部１０から挿入して収納する機器収納部４を有し、この機器収納部４の少なくとも両側の側面部９が柔軟性を有するケース本体３と、このケース本体３の開口部１０を屈曲自在に覆うと共に先端部側がケース本体３に係脱可能に係止される蓋部材５と、この蓋部材５をケース本体３に取り付けるための伸縮性部材６とを備えた。従って、電子機器をケース本体３の機器収納部４内に収納し、蓋部材５を折り曲げて蓋部材５でケース本体３の開口部１０を覆って塞ぐときに、伸縮性部材６が伸縮して蓋部材５がその伸縮方向に変位することにより、電子機器２などの収納物の大きさに応じて収納サイズを変えることができ、これにより機種によって電子機器の厚みが異なっていても良好に収納することができる。【選択図】        図２
2007175328.tif 000002
【特許請求の範囲】
【請求項１】
電子機器を開口部から挿入して収納する機器収納部を有し、この機器収納部の少なくとも両側部が柔軟性を有するケース本体と、
このケース本体の前記開口部を屈曲自在に覆って先端部が前記ケース本体に係脱可能に係止される蓋部材と、
この蓋部材を前記ケース本体に取り付けるための伸縮性部材と
を備えたことを特徴とする収納ケース。
【請求項２】
前記蓋部材の内側面には、伸縮性または柔軟性を有する部品収納部が設けられていることを特徴とする請求項１に記載の収納ケース。
【請求項３】
前記ケース本体内の奥部には、柔軟性を有する部品収納部が設けられていることを特徴とする請求項１または２に記載の収納ケース。
【請求項４】
前記伸縮性部材は、前記機器収納部内に位置する前記ケース本体の内面に取り付けられていることを特徴とする請求項１〜３のいずれかに記載の収納ケース。
【請求項５】
前記伸縮性部材が取り付けられた前記ケース本体の一面には、前記蓋部材が前記ケース本体の内外に挿通するスリット孔が設けられていることを特徴とする請求項１〜４のいずれかに記載の収納ケース。
【発明の詳細な説明】
【技術分野】
【０００１】
この発明は、電子辞書、携帯電話機、ＰＤＡ（パーソナル・デジタル・アシスタント）などの電子機器を収納する収納ケースに関する。
【背景技術】
【０００２】
従来、電子手帳などの携帯型の電子機器を収納する収納ケースには、例えば電子機器を挟むほぼ手帳形状の電子機器用カバーがある。このような収納ケースとしての電子機器用カバーは、特許文献１に記載されているように、電子機器を挟むほぼ手帳形状のカバー本体を備え、このカバー本体における互いに対向する一対の面部のうち、一方の面部に面状ファスナの雌部材を設け、電子機器の裏面に面状ファスナの雄部材を設け、この電子機器の雄部材をカバー本体の雌部材に係止させて電子機器をカバー本体に取り付け、この状態でカバー本体を折り曲げて電子機器を包んだ上、カバー本体に設けられたベルト状の保持手段によってカバー本体における一対の面部の各端部を閉じた状態で保持するように構成されている。
【特許文献１】特開平０９−１０８０２４号
【発明の開示】
【発明が解決しようとする課題】
【０００３】
しかしながら、このような従来の電子機器用カバーでは、電子機器の厚みが一定であれば、カバー本体を折り曲げて電子機器を包んだときに、カバー本体における一対の面部が電子機器の表裏面に密接して一対の面部の各端部が揃うので、カバー本体における一対の面部の各端部を閉じた状態で保持部材によって良好に保持することができても、電子機器の厚みが機種によって異なる場合には、カバー本体を折り曲げて電子機器を包んだときに、一対の面部が電子機器の表裏面に密接せず、一対の面部の各端部が揃わないため、電子機器を良好にカバー本体で包み込むことができないという問題がある。
【０００４】
すなわち、電子機器の厚みが厚い場合には、カバー本体を折り曲げて電子機器を包んだときに、カバー本体における一方の面部が電子機器に対して浮き上がってしまうばかりか、カバー本体の一方の面部の端部に他方の面部の端部が到達せず、一対の面部の各端部が正確に揃わないため、電子機器を良好にカバー本体で包み込むことができない。この場合、一対の面部の各端部を揃えるためには、カバー本体に対する電子機器の取り付け位置をずらせばよいが、電子機器の取り付け位置をずらすと、電子機器が一対の面部の各端部から突出してしまうため、良好に電子機器をカバー本体で包み込むことができない。
【０００５】
また、電子機器の厚みが薄い場合には、カバー本体を折り曲げて電子機器を包むときに、カバー部材の折り曲げ部分を電子機器の厚みとほぼ同じ幅で折り曲げれば、カバー本体における一方の面部を電子機器の表面に密接させることができても、カバー本体の一方の面部の端部よりも他方の面部の端部が突出するため、電子機器を良好にカバー本体で包み込むことができない。この場合、一対の面部の各端部を揃えると、折り曲げられたカバー本体の一方の面部と電子機器の表面との間に隙間が生じていまい、カバー本体を電子機器に密接させて電子機器をカバー本体で包み込むことができない。
【０００６】
また、このような従来の電子機器用カバーでは、カバー本体の一方の面部にカード収納部を設け、このカード収納部にクレジットカードなどのカードを収納することができるように構成されているが、クレジットカードなどの厚みの薄いカードを収納することはできても、イヤホンや電池などの付属部品を収納する部品収納部を設け、この部品収納部にイヤホンや電池などの付属部品を収納すると、部品収納部がカバー本体の外部に膨らんで突出するため、良好に収納することができず、携帯性が悪いという問題がある。
【０００７】
この発明が解決しようとする課題は、電子機器などの収納物の大きさに応じて収納サイズを変えることができる収納ケースを提供することである。
【課題を解決するための手段】
【０００８】
この発明は、上記課題を解決するために、次のような構成要素を備えている。
なお、各構成要素には、後述する実施形態の項で説明される各要素に付されている図面の参照番号などを括弧と共に付す。
【０００９】
請求項１に記載の発明は、図１〜図５に示すように、電子機器（２）を開口部（１０）から挿入して収納する機器収納部（４）を有し、この機器収納部の少なくとも両側部（側面部９）が柔軟性を有するケース本体（３）と、このケース本体の前記開口部を屈曲自在に覆って先端部が前記ケース本体に係脱可能に係止される蓋部材（５）と、この蓋部材を前記ケース本体に取り付けるための伸縮性部材（６）とを備えたことを特徴とする収納ケースである。
【００１０】
請求項２に記載の発明は、図１〜図５に示すように、前記蓋部材（５）の内側面に、伸縮性または柔軟性を有する部品収納部（第１、第２部品収納部１５、１６）が設けられていることを特徴とする請求項１に記載の収納ケースである。
【００１１】
請求項３に記載の発明は、図１〜図５に示すように、前記ケース本体（３）内の奥部（奥側部１１）に、柔軟性を有する部品収納部（第３部品収納部２０）が設けられていることを特徴とする請求項１または２に記載の収納ケースである。
【００１２】
請求項４に記載の発明は、図１〜図４に示すように、前記伸縮性部材（６）が前記機器収納部（４）内に位置する前記ケース本体（３）の内面に取り付けられていることを特徴とする請求項１〜３のいずれかに記載の収納ケースである。
【００１３】
請求項５に記載の発明は、図１〜図５に示すように、前記伸縮性部材（６）が取り付けられた前記ケース本体（３）の一面（裏面部８）に、前記蓋部材（５）が前記ケース本体の内外に挿通するスリット孔（１４）が設けられていることを特徴とする請求項１〜４のいずれかに記載の収納ケースである。
【発明の効果】
【００１４】
請求項１に記載の発明によれば、電子機器をケース本体の機器収納部に収納する場合には、機器収納部の開口部から電子機器を挿入して機器収納部内に収納し、この状態で蓋部材を折り曲げてケース本体の開口部を覆って塞ぎながら、蓋部材の先端部をケース本体に係脱可能に係止させるときに、伸縮性部材が伸縮して蓋部材がその伸縮方向に変位するので、電子機器などの収納物の大きさに応じて収納サイズを自動的に変えることができ、これにより機種によって電子機器の厚みが異なっていても、電子機器を良好に収納することができる。
【００１５】
すなわち、電子機器の厚みが厚い場合には、ケース本体の機器収納部内に電子機器を開口部から挿入すると、ケース本体の少なくとも両側部が柔軟性を有するので、このケース本体の両側部が電子機器の厚みに応じて柔軟に伸びることにより、電子機器を機器収納部内に密接させて収納することができると共に、開口部を蓋部材で覆って塞ぐときに、伸縮性部材が伸びることにより、蓋部材が引き出されるので、電子機器の大きさに応じて収納サイズを変えることができ、これにより電子機器の厚みが厚くても良好に収納することができる。
【００１６】
また、電子機器の厚みが薄い場合には、ケース本体の機器収納部内に電子機器を開口部から挿入すると、電子機器が機器収納部内に隙間をもって収納されるが、ケース本体の開口部を蓋部材で覆って蓋部材の先端部をケース本体に係止させると、伸縮性部材が収縮して蓋部材を引き込むことにより、柔軟性を有するケース本体の両側部が屈曲して縮むので、電子機器の大きさに応じて収納サイズを変えることができ、これにより電子機器の厚みが薄くても良好に収納することができる。
【００１７】
請求項２に記載の発明によれば、蓋部材の内側面に、伸縮性または柔軟性を有する部品収納部が設けられていることにより、部品収納部にイヤホンや小型のメモリカード（例えばＳＤカード）などの付属部品を収納することができると共に、部品収納部に付属部品を収納して部品収納部が膨らんでも、その膨らんだ分だけ伸縮性部材が伸びて蓋部材が引き出されるので、電子機器や付属部品などの収納物の大きさに応じて収納サイズを自由に変えることができ、これにより部品収納部に付属部品を収納しても良好に収納することができ、また付属部品を取り出したときには、部品収納部が縮んだり潰れたりするので、部品収納部が邪魔にならず、ケース全体をコンパクトにすることができる。
【００１８】
この場合、イヤホンや電源コードなどのコード状の付属部品を収納する部品収納は、伸縮性を有する網状部材からなり、蓋部材の内面における折り曲げ部分、つまり機器収納部の開口部に対応する部分に設けられ、コード状の付属部品が収納されたときに膨らみ、付属部品を取り出したときに縮むように構成されていることが望ましい。また、ＳＤカードなどのカード状の付属部品を収納する部品収納は、柔軟性を有する帯状部材からなり、蓋部材の内面におけるケース本体の外面に対応する部分に帯状部材の両端部を取り付け、カード状の付属部品を帯状部材と蓋部材の内面との間に差し込むことにより保持し、付属部品を取り出したときにケース本体の外面が当接することにより押し潰されるように構成されていることが望ましい。
【００１９】
請求項３に記載の発明によれば、ケース本体内の奥部に柔軟性を有する部品収納部が設けられていることにより、部品収納部に電池などの付属部品を収納することができると共に、電池などの付属部品によって部品収納部が膨らんでも、その膨らんだ分だけ伸縮性部材が伸びて蓋部材が引き出されるので、請求項２に記載の発明と同様、電子機器や付属部品などの収納物の大きさに応じて収納サイズを自由に変えることができ、これにより電池などの付属部品をも良好に収納することができるほか、部品収納部から電池などの付属部品を取り出したときには、電子機器が機器収納部の奥部まで挿入されることにより、この電子機器によって柔軟性を有する部品収納部が押し潰されるので、ケース全体がコンパクトになり、良好に携帯することができる。
【００２０】
請求項４に記載の発明によれば、伸縮性部材が機器収納部内に位置するケース本体の内面に取り付けられていることにより、伸縮部材をケース本体の外部から見えないように隠すことができ、これにより外観およびデザイン性の良いものを得ることができる。
【００２１】
請求項５に記載の発明によれば、伸縮性部材が取り付けられたケース本体の一面に、蓋部材がケース本体の内外に挿通するスリット孔が設けられていることにより、蓋部材をケース本体に対して引出し可能に保持することができるので、この蓋部材がケース本体に対する引出し方向と直交する方向に横振れするのを防ぐことができ、これにより蓋部材の引出し操作が容易にできると共に、蓋部材によってケース本体の機器収納部の開口部を良好に塞ぐことができる。
【発明を実施するための最良の形態】
【００２２】
以下、図１〜図４を参照して、この発明を適用した収納ケースの一実施形態について説明する。
図１はこの発明の収納ケースを正面側から見た斜視図、図２は図１の収納ケースを裏面側から見た斜視図、図３は図１のＡ−Ａ矢視における拡大断面図、図４は図１のＢ−Ｂ矢視における拡大断面図である。
この収納ケース１は、図１〜図４に示すように、電子辞書などの電子機器２を収納する機器収納部４を有するケース本体３と、蓋部材５と、この蓋部材５をケース本体３に取り付けるための伸縮性部材６とを備えている。この場合、電子機器２は折り畳み式の電子辞書である。
【００２３】
ケース本体３は、図１に示すように、天然皮革または合成皮革、あるいは合成樹脂製のシートからなり、電子機器２の厚みよりも少し広い間隔をもって折り返すことにより、表面部７（図１では上面部）と裏面部８（同図では下面部）とを対向させ、その両側部にそれぞれ柔軟性を有する側面部９を設けることにより、一方側（図１では右上側）に電子機器２が挿入する開口部１０を有する機器収納部４が形成された構成になっている。この機器収納部４は、電子機器２の全長よりも少し長く形成されていると共に、電子機器２の厚みよりも少し厚く形成され、これにより全体が電子機器２よりも余裕をもって少し大きく形成されている。
【００２４】
この場合、ケース本体３は、図１〜図４に示すように、その表面部７（図１では上面部）および裏面部８（同図では下面部）が変形しにくいように肉厚に形成され、両側の側面部９および折り返し部に相当する奥側部１１がケース本体３の厚み方向に屈曲変形するように構成されている。特に、裏面部８は、図３および図４に示すように、外面部８ａと内面部８ｂを重ね合わせた二重構造になっている。
【００２５】
一方、蓋部材５は、ケース本体３と同じ材料からなり、図２に示すように、先端部側（図２では右上側）の幅が広く、基端部側（同図では左下側）の幅が狭いほぼ杓形状に形成され、その中間部に位置するくびれ部分５ａが電子機器２の厚みとほぼ同じ間隔で折り曲げられて、先端部側の幅広部分が機器収納部４の開口部１０を開閉自在に塞ぐように構成されている。この場合、蓋部材５は、図１に示すように、その先端部側（図１では右側）における内面、つまりケース本体３の表面部７に対向する内面にマグネットタイプの雄型フック１２が設けられ、この雄型フック１２がケース本体３の開口部１０側に位置する表面部７に設けられたマグネットタイプの雌型フック１３に係脱可能に係止されるように構成されている。
【００２６】
また、この蓋部材５は、図２および図３に示すように、その基端部（図２では左側の端部）がケース本体３における二重構造の裏面部８の外面部８ａに設けられたスリット孔１４から裏面部８の外面部８ａと内面部８ｂとの間に差し込まれ、この差し込まれた基端部が伸縮性部材６を介して裏面部８の外面部８ａの内面に取り付けられている。この伸縮性部材６は、ゴムなどの伸縮性素材からなり、図２に示すように、全体が帯状に形成され、その一端部６ａが蓋部材５の基端部に縫製により取り付けられ、他端部６ｂが縫製により裏面部８の外面部８ａの内面に取り付けられ、これにより蓋部材５の基端部を伸縮性部材６の収縮力によって裏面部８の外面部８ａと内面部８ｂとの間に引き込むように構成されている。
【００２７】
ところで、蓋部材５の内面には、図１に示すように、第１、第２部品収納部１５、１６が設けられている。第１部品収納部１５は、イヤホン１７や電源コード（図示せず）などのコード状の付属部品を収納するものであり、伸縮性を有する網状部材からなり、蓋部材５の内面における折れ曲がり部分、つまり機器収納部４の開口部１０に対応して折れ曲がるくびれ部分５ａに設けられ、これによりコード状の付属部品、例えばイヤホン１７が収納されたときに膨らみ、このコード状の付属部品を取り出したときに縮むように構成されている。
【００２８】
また、第２部品収納部１６は、図１に示すように、小型のメモリカードであるＳＤカード１８などのカード状の付属部品を収納するものであり、布や皮革などの柔軟性を有する帯状部材からなり、この帯状部材の両端部が縫製によってケース本体３の表面部７に対応する蓋部材５の内面にほぼ平面的に取り付けられ、これによりカード状の付属部品、例えばＳＤカード１８を帯状部材と蓋部材５の内面との間に差し込むことにより保持し、このカード状の付属部品を取り出したときに蓋部材５とケース本体３の表面部７との間に挟まれて押し潰されるように構成されている。
【００２９】
また、ケース本体３の内部における奥側部１１には、図１に示すように、第３部品収納部２０が設けられている。この第３部品収納部２０は、電池２１を収納するものであり、布や皮革などの柔軟性を有する筒状部材からなり、この筒状部材がケース本体３内における奥側部１１に縫製によって取り付けられ、この筒状部材内に２つの電池２１を挿入することにより直列状態で収納し、電池２１などの付属部品を取り出したときに電子機器２によって押し潰されるように構成されている。
【００３０】
この場合、ケース本体３の両側に位置する各側面部９における奥側部分（図１では左側部分）、つまりケース本体３の奥側部１１に対応する各側面部９の両端部分には、図１および図２に示すように、切欠け部２２がそれぞれ第３部品収納部２０の筒状部材の両端部に対応して設けられている。これにより、第３部品収納部２０は、ケース本体３の各側面部９の切欠け部２２を通して電池２１などの付属部品が筒状部材の一端部側から挿入されることにより、電池２１などの付属部品を収納するように構成されている。
【００３１】
このような収納ケース１によれば、電子機器２を収納する場合、ケース本体３の機器収納部４の開口部１０から電子機器２を機器収納部４内に挿入して収納し、この状態で伸縮性部材６を伸縮させながら蓋部材５を折り曲げることにより、この折り曲げられた蓋部材５でケース本体３の開口部１０を覆って塞ぎ、この蓋部材５の先端部側の内面に設けられたマグネットタイプの雄型フック１２をケース本体３の表面部７に設けられた雌型フック１３に係脱可能に係止させるだけで、電子機器２を良好に収納することができる。
【００３２】
すなわち、この収納ケース１は、伸縮性部材６によって電子機器２などの収納物の大きさに応じて収納サイズを変えることができるので、電子機器２の厚みが機種によって異なっても、良好に電子機器２を収納することができる。例えば、電子機器２の厚みが厚い場合には、ケース本体３の機器収納部４内に電子機器２を開口部１０から挿入すると、ケース本体３の両側の側面部９が柔軟性を有するので、このケース本体３の各側面部９が電子機器２の厚みに応じて柔軟に伸びることにより、電子機器２を機器収納部４内に密接させて収納することができる。
【００３３】
この状態で、開口部１０を蓋部材５で塞ぐときに、伸縮性部材６が伸びることにより、蓋部材５の基端部側がケース本体３の裏面部８内から引き出されるので、電子機器２の大きさに応じて収納サイズを自動的に変えることができ、これにより蓋部材５でケース本体３の開口部１０を良好に覆って塞ぐことができると共に、蓋部材５の先端部側の雄型フック１２をケース本体３の表面部７の雌型フック１３に係脱可能に係止させることができるので、電子機器２の厚みが厚くても、この電子機器２をケース本体３の機器収納部４内に良好に収納することができる。
【００３４】
また、電子機器２の厚みが薄い場合には、ケース本体３の機器収納部４内に電子機器２を開口部１０から挿入すると、電子機器２が機器収納部４内に隙間をもって収納されるが、ケース本体３の開口部１０を蓋部材５で覆って塞ぎ、この蓋部材５の先端部側の雄型フック１２をケース本体３の表面部７の雌型フック１３に係止させると、伸縮性部材６が収縮して蓋部材５の基端部側がケース本体３の裏面部８内に引き込まれることにより、電子機器２の大きさに応じて収納サイズを自動的に変えることができる。
【００３５】
すなわち、伸縮性部材６が収縮して蓋部材５の基端部側がケース本体３の裏面部８内に引き込まれると、柔軟性を有するケース本体３の両側の各側面部９が屈曲して縮むので、電子機器２を機器収納部４内に密接させて収納することができると共に、伸縮性部材６の収縮によって蓋部材５の基端部側がケース本体３の裏面部８内に引き込まれることにより、収納サイズが自動的に変わるので、電子機器２の厚みが薄くても、この電子機器２をケース本体３の機器収納部４内に良好に収納することができる。
【００３６】
この場合、蓋部材５の内側面に第１、第２部品収納部１５、１６が設けられているので、この第１、第２部品収納部１５、１６にイヤホン１７などのコード状の付属部品やＳＤカード１８などのカード状の付属部品を収納することができると共に、第１、第２部品収納部１５、１６にそれぞれ付属部品を収納すると、第１、第２部品収納部１５、１６が膨らむが、その膨らんだ分だけ伸縮性部材６が伸びて蓋部材５の基端部側がケース本体３の裏面部８内から引き出されるので、収納サイズを変えることができ、これにより付属部品をも良好に収納することができる。
【００３７】
すなわち、イヤホン１７や電源コードなどのコード状の付属部品を収納する第１部品収納１５は、伸縮性を有する網状部材からなり、蓋部材５の内面における折れ曲がり部分、つまりケース本体３の開口部１０に対応して折れ曲がるくびれ部分５ａに設けられているので、この第１部品収納部１５内にイヤホン１７や電源コードなどのコード状の付属部品を収納することができる。
【００３８】
この状態で蓋部材５を閉じると、イヤホン１７などのコード状の付属部品によって第１部品収納部１５が膨らみ、この膨らんだ第１部品収納部１５がケース本体３の開口部１０側に向けて突出するが、その膨らんで突出した分だけ伸縮性部材６が伸びて蓋部材５の基端部側がケース本体３の裏面部８内から引き出されることにより、収納サイズを変えることができ、これによりイヤホン１７などのコード状の付属部品をも良好に収納することができる。また、コード状の付属部品を取り出したときには、第１部品収納部１５は収縮して縮むので、邪魔にならず、コンパクトになる。
【００３９】
また、ＳＤカード１８や小型のメモリカードなどのカード状の付属部品を収納する第２部品収納部１６は、布や皮革などの柔軟性を有する帯状部材からなり、この帯状部材の両端部が縫製によってケース本体３の表面部７に対応する蓋部材５の内面にほぼ平面的に取り付けられているので、この帯状部材と蓋部材５の内面との間にＳＤカード１８などのカード状の付属部品を差し込むことにより保持することができる。
【００４０】
この状態で蓋部材５を閉じると、ＳＤカード１８などのカード状の付属部品によって蓋部材５がケース本体３の厚み方向に少し膨らむが、その膨らんだ分だけ伸縮性部材６が伸びて蓋部材５の基端部側がケース本体３の裏面部８内から引き出されるので、これによっても収納サイズが変わり、ＳＤカード１８などのカード状の付属部品をも良好に収納することができる。また、カード状の付属部品を取り出したときには、第２部品収納部１６が蓋部材５とケース本体３の表面部７との間に挟まれて押し潰されるので、第２部品収納部１６が邪魔にならず、コンパクトになる。
【００４１】
また、ケース本体３内の奥側部１１には、柔軟性を有する筒状部材の第３部品収納部２０が設けられ、この第３部品収納部２０の両端部に対応する箇所の側面部１０に切欠け部２２が設けられていることにより、この側面部１０の切欠け部２２から第３部品収納部２０内に電池２１などの付属部品を挿入させて良好に収納することができる。
【００４２】
この状態で機器収納部４内に電子機器２を収納すると、電池２１などの付属部品によって第３部品収納部２０が膨らんでいるため、この第３部品収納部２０の膨らんだ分だけ伸縮性部材６が伸びて蓋部材５の基端部側がケース本体３の裏面部８内から引き出されるので、電子機器２および電池２１などの収納物の大きさに応じて収納サイズが自由に変わり、これにより電池２１をも良好に収納することができる。また、第３部品収納部２０から電池２１などの付属部品を取り出したときには、電子機器２が機器収納部４の奥側部１１まで挿入されると、この電子機器２によって柔軟性を有する筒状部材の第３部品収納部２０が押し潰されるので、ケース全体がコンパクトになり、良好に携帯することができる。
【００４３】
さらに、この収納ケース１によれば、伸縮性部材６がケース本体３における裏面部８の外面部８ａと内面部８ｂとの間に取り付けられていることにより、図２に示すように、伸縮部材６および蓋部材５の基端部側をケース本体３の外部から見えないように隠すことができ、これにより外観およびデザイン性の良いものを得ることができる。特に、伸縮性部材６が取り付けられたケース本体３の裏面部８の外面部８ａには、蓋部材５の基端部５ｂを裏面部８の外面部８ａと内面部８ｂとの間に挿通するスリット孔１４が設けられていることにより、蓋部材５の基端部側がケース本体３に対して引出し可能に保持されるので、蓋部材５が引出し方向と直交する方向に横振れすることがなく、蓋部材５の引出し操作性が良く、蓋部材５でケース本体３の開口部１０を良好に塞ぐことができる。
【００４４】
なお、上記実施形態では、伸縮性部材６の端部６ｂがケース本体３の裏面部８における外面部８ａに縫製によって取り付けられている場合について述べたが、これに限らず、例えば伸縮性部材６の端部６ｂをケース本体３の裏面部８における内面部８ｂに縫製によって取り付けても良い。このようにすれば、縫製した部分がケース本体３の外部に露出しないので、より一層、外観およびデザイン性の良いものを得ることができる。
【００４５】
また、上記実施形態では、伸縮性部材６をケース本体３の裏面部８内に取り付けた場合について述べたが、これに限らず、例えば図５に示す変形例のように、伸縮性部材６を裏面部８の外面に縫製によって取り付けても良い。この場合には、蓋部材５の基端部を裏面部８のスリット孔１４に裏面部８の内面側から外面側に向けて挿通させれば良い。このような構成では、伸縮性部材６および蓋部材５の基端部がケース本体３の外部から見えるが、これ以外は、上述した実施形態と同様の作用効果がある。
【００４６】
また、上記実施形態では、ケース本体３の裏面部８にスリット孔１４を設け、このスリット孔１４に蓋部材５の基端部を挿通させたが、必ずしもスリット孔１４を設ける必要はなく、またケース本体３の裏面部８は外面部８ａと内面部８ｂとを重ね合わせた二重構造である必要もなく、外面部８ａのみの一重構造でも良い。
【００４７】
さらに、上記実施形態では、蓋部材５の先端部側にマグネットタイプの雄型フック１２を設け、ケース本体３の表面部７にマグネットタイプの雌型フック１３を設けた場合について述べたが、これに限らず、例えば蓋部材５の先端部側に雄型ホックを設け、ケース本体３の表面部７に雌型ホックを設けた構成でも良く、また蓋部材５の先端部側に面状ファスナの雄型部材を設け、ケース本体３の表面部７に面状ファスナの雌型部材を設けた構成でも良い。
【００４８】
なおまた、上記実施形態では、電子機器として、折り畳み式の電子辞書に適用した場合について述べたが、これに限らず、携帯電話、電子手帳、ＰＤＡ（パーソナル・デジタル・アシスタント）などの電子機器に広く適用することができる。
【図面の簡単な説明】
【００４９】
【図１】この発明を適用した収納ケースを正面側から見た斜視図である。
【図２】図１の収納ケースを裏面側から見た斜視図である。
【図３】図１のＡ−Ａ矢視における拡大断面図である。
【図４】図１のＢ−Ｂ矢視における拡大断面図である。
【図５】この発明の収納ケースの変形例を示した裏面側から見た斜視図である。
【符号の説明】
【００５０】
１  収納ケース
２  電子機器
３  ケース本体
４  機器収納部
５  蓋部材
６  伸縮性部材
７  表面部
８  裏面部
９  側面部
１０  開口部
１１  奥側部
１２  雄型フック
１３  雌型フック
１４  スリット孔
１５、１６  第１、第２部品収納部
１７  イヤホン
１８  ＳＤカード
２０  第３部品収納部
２１  電池
【図１】
2007175328.tif 000003
【図２】
2007175328.tif 000004
【図３】
2007175328.tif 000005
【図４】
2007175328.tif 000006
【図５】
2007175328.tif 000007